(57)【要約】【課題】ケーブルに温度変化に伴う熱伸縮が生じても、管路の内部へ浸入した水を管路口からマンホール内へ流出するのを防止できるとともに、ケーブルにダメージを及ぼさないようにした管路口防水装置を提供する。【解決手段】ケーブル３が内部に布設された管路２の管路口２ａを防水する管路口防水装置１は、ケーブル３の外周面とスリーブ１１の内面との間に防水シーリング剤２０が注入されており、これにより防水を図るとともに、ケーブル３とスリーブ１１およびゴムシート１４とが一体に動けるようにしている。更に、管路口２ａ及びスリーブ１１の間には、漏斗状のゴムシート１４が取り付けられており、その内周縁はスリーブ１１に固定され、外周縁は管路口２ａの端面に固定されている。【選択図】図１
2008167607.tif 000002
【特許請求の範囲】
【請求項１】
ケーブルが布設された管路の内部へ侵入した水が管路口を通してマンホール内へ流出するのを防止する管路口防水装置において、
前記管路の管路口近傍にあって、その外周に防水シーリング剤を有する前記ケーブルと前記管路口との間を閉塞する可撓性の防水部材と、
前記防水部材の一端部の内周を前記ケーブルに固定する締付部材と、
前記防水部材の他端部を前記管路の前記管路口の端面に固定すると共に前記管路口の端面に固定され、一体的に取り付けられた前記ケーブルおよび前記防水部材を摺動可能にした固定部材とを備えたことを特徴とする管路口防水装置。
【請求項２】
ケーブルが布設された管路の内部へ侵入した水が管路口を通してマンホール内へ流出するのを防止する管路口防水装置において、
前記管路の管路口近傍の前記ケーブルの外周に防水シーリング剤を介して取り付けられたスリーブと、前記スリーブと前記管路口との間を閉塞する可撓性の防水部材と、
前記防水部材の一端部の内周を前記スリーブに固定する締付部材と、
前記防水部材の他端部を前記管路の前記管路口の端面に固定すると共に前記管路口の端面に固定され、一体的に取り付けられた前記ケーブル、前記スリーブおよび前記防水部材を摺動可能にした固定部材とを備えたことを特徴とする管路口防水装置。
【請求項３】
前記防水部材は、弾性を有することを特徴とする請求項１または２に記載の管路口防水装置。
【請求項４】
前記防水部材は、漏斗状を有することを特徴とする請求項１乃至３のいずれか１項に記載の管路口防水装置。
【請求項５】
前記固定部材は、前記管路口の端面に固定された蓋と前記蓋に外嵌されたパッキンと前記蓋に固定するパッキン抑え部材とを備えたことを特徴とする請求項１乃至４のいずれか１項に記載の管路口防水装置。
【請求項６】
前記スリーブは、分割された複数のスリーブ部材からなり、前記ケーブルの複数本を囲撓するように配置して一体的に取り付けられていることを特徴とする請求項１乃至５のいずれか１項に記載の管路口防水装置。
【発明の詳細な説明】
【技術分野】
【０００１】
本発明は、電力ケーブル、通信ケーブル等のケーブルが布設された管路の内部へ浸入した水を、マンホール内へ流出するのを防止できる管路口防水装着に関するものである。
【背景技術】
【０００２】
地中や建物の壁等に電力ケーブル等のケーブルを通す場合、鋳鉄や鋼鉄の金属等からなる管路内にケーブルを布設する施工法があり、その管路と管路の間にはマンホールが設置されている。そして、このマンホールと接続している管路の内部には、管路間同士の繋ぎ目または長期間使用により劣化して発生した管路自体の割れ、ひび等の箇所から地下水または地表面から浸透した雨水が侵入する場合がある。この管路内部へ侵入した水が管路口を通してマンホール内へ流出しないように、管路口を防水する管路口防水装置が設けられる。この管路口防水装置には、大別してフランジ型と挿入型がある。
【０００３】
フランジ型の管路口防水装置として、例えば、管路口にフランジを取り付け、ケーブルに熱収縮チューブを挿入し、その一端をフランジに接着固定し、他端をケーブルの外周に接着固定して防水するとともに、ケーブルの径方向及び軸方向の熱伸縮に追従できるようにした構成が知られている（例えば、特許文献１参照。）。
【０００４】
また、挿入型の管路口防水装置として、例えば、円筒状でゴム製の中間シール部材を円板状でゴム製の前シール板と後シール板で両側から挟み、これらシール板及び中間シール部材を一対の押え板で両側から固定し、これを管路内に挿入した後、一対の押え板を締め付けて中間シール部材を半径方向に膨出させて管路内をシールするシール装置が知られている（例えば、特許文献２参照。）。
【０００５】
図３は、従来のフランジ型の管路口防水装置を示す。同図中、（ａ）は正面図、（ｂ）は断面図である。
【０００６】
この管路口防水装置１００は、鋼管等からなる管路１０１にケーブル１０２Ａが挿通された地中線路において、管路１０１が拡径された管路口１０３と、管路口１０３の一端に装着されて防水混和物１０９を充填する空間を形成するゴムからなる円板状の仕切り部材１０４と、その空間を介して管路口１０３の他端に装着されたゴム製のパッキン１０７と、パッキン１０７の外側に設けられる２分割の蓋部材１０８ａ，１０８ｂから構成され、管路口１０３の他端の端面にパッキン１０７を介してボルト１０５とナット１０６により取り付けられた蓋１０８と、蓋１０８と仕切り部材１０４の間に充填された防水混和物１０９とを備えて構成されている。
【０００７】
この管路口防水装置１００は、パッキン１０７及び防水混和物１０９がシール部材として機能することにより、管路１０１の内部へ侵入した水が管路口１０３を通してマンホール内へ流出させないような防水構造が得られる。
【０００８】
図４は、図３の管路口防水装置１００の変形例を示す。同図中、（ａ）は正面図、（ｂ）は断面図である。この管路口防水装置１００は、図３の構成において、ケーブルを１本からケーブル１０２Ａ，１０２Ｂ，１０２Ｃの３本にし、これに合わせて蓋１０８を蓋部材１０８ｃ，１０８ｄ，１０８ｅからなる３分割の構成にしたものであり、その他の構成は、図３と同様である。また、この管路口防水装置１００の防水作用は、図３の管路口防水装置１００で説明した通りである。
【０００９】
図５は、従来の挿入型の管路口防水装置を示す。同図中、（ａ）は正面図、（ｂ）は断面図である。この管路口防水装置２００は、同一仕様の複数枚のゴム製パッキン２０１と、それぞれが半円形の押し付け部材２０２ａ，２０２ｂからなり、パッキン２０１を両側から固定するドーナツ形の一対の押し付け金具２０２，２０３とを備える。押し付け金具２０２，２０３は、ボルト１０５とナット１０６によりパッキン２０１を固定する。
【００１０】
この管路口防水装置２００は、ボルト１０５とナット１０６で押し付け金具２０２，２０３を軽く締めて複数枚のパッキン２０１を仮固定し、この状態で管路口１０３から管路１０１内の所定の位置に挿入される。位置決め後にナット１０６を締め、複数枚のパッキン２０１を半径方向へ膨出させ、パッキン２０１の外周面を管路１０１の内壁面に密着させる。これにより、管路１０１はパッキン２０１によってシールされる。よって、この管路口防水装置２００は、パッキン２０１がシール部材として機能することから、管路１０１の内部へ侵入した水が管路口１０３を通してマンホール内へ流出させないような防水構造を有することになる。
【００１１】
図６は、図５の管路口防水装置の変形例を示す。同図中、（ａ）は正面図、（ｂ）は断面図である。この管路口防水装置２００は、図５の構成において、ケーブルを３本のケーブル１０２Ａ〜１０２Ｃとし、これに合わせて押し付け金具２０２，２０３及びパッキン２０１のケーブル用の開口部の形状を変えたものであり、その他の構成は、図５と同様である。また、この管路口防水装置２００の防水作用は、図５の管路口防水装置２００で説明した通りである。
【特許文献１】特開昭５７−６５２１５号公報
【特許文献２】実開平６−１０６９５号公報
【発明の開示】
【発明が解決しようとする課題】
【００１２】
しかし、従来の管路口防水装置によると、運用中のケーブルには大電流が流れるため、そのジュール熱でケーブルが発熱し、更に、負荷変動に伴う電流変動によって温度変化が生じる。このため、ケーブルには温度変化に伴う熱伸縮が生じる。
【００１３】
温度変化によってケーブルに伸縮が生じると、特許文献１のフランジ型の管路口防水装置の場合、熱収縮チューブが直接パイプまたはフランジおよびケーブル外周に接着固定されている構造であるため、ケーブルへの熱伸縮が長期に亘り繰り返し行われると、熱収縮チューブが次第にケーブルの移動に追従できなくなり、破れたりまたはピンホールが発生して管路の内部へ侵入していた水が管路口を通してマンホール内へ流出するおそれがある。
【００１４】
図３及び図４の管路口防水装置１００の場合、防水混和物１０９とケーブル１０２の間に隙間が生ずる可能性があり、これにより漏水を発生し、この水が管路口１０３を通してマンホール内へ流出するおそれがある。
【００１５】
また、図５及び図６の管路口防水装置２００の場合、ケーブル１０２の防食層とパッキン２０１が密着しているので、ケーブル１０２の熱伸縮によって、管路口防水装置２００の全体がケーブル１０２と一体に移動し、パッキン２０１の外周面が管路１０１の内壁面を滑り、最悪の場合、管路口防水装置２００が管路１０１から脱落するおそれがある。また、脱落した管路口防水装置２００が管路口１０３の端面に斜めに引っかかるなどし、ケーブル１０２に外傷を与えることが懸念される。更に、この脱落により管路１０１の内部へ侵入していた水が管路口１０３を通してマンホール内へ流出するおそれがある。
【００１６】
更に、図３〜図６の構成の場合、ケーブル１０２が古い鉛被ＯＦ（Oil-Filled）ケーブルであれば、鉛被自体が経年で痛んでいることもあり、ケーブルのシースに防水混和物１０９やパッキン１０７、２０１の圧力が加わり、これが鉛被を痛め、漏油の発生等、ケーブルの性能に悪影響を与えることがある。また、管路内のケーブル１０２は、管路１０１の底面に位置するため、管路口１０３付近の移行部ではケーブル１０２が曲がった状態となる。管路口防水装置１００、２００は、経年によってケーブル及び管路内面と固着する事例があり、この固着した状態でケーブルに熱伸縮が生ずると、ケーブル１０２の曲がり部で屈曲が繰り返され、ケーブル１０２の金属被を損傷する。
【００１７】
従って、本発明の目的は、ケーブルに温度変化に伴う熱伸縮が生じても、管路の内部へ浸入した水を管路口からマンホール内へ流出するのを防止できるとともに、ケーブルにダメージを及ぼさないようにした管路口防水装置を提供することにある。
【課題を解決するための手段】
【００１８】
第１の発明は、上記目的を達成するため、ケーブルが布設された管路の内部へ侵入した水が管路口を通してマンホール内へ流出するのを防止する管路口防水装置において、前記管路の管路口近傍にあって、その外周に防水シーリング剤を有する前記ケーブルと前記管路口との間を閉塞する可撓性の防水部材と、前記防水部材の一端部の内周を前記ケーブルに固定する締付部材と、前記防水部材の他端部を前記管路の前記管路口の端面に固定すると共に前記管路口の端面に固定され、一体的に取り付けられた前記ケーブルおよび前記防水部材を摺動可能にした固定部材とを備えたことを特徴とする管路口防水装置を提供する。
【００１９】
第２の発明は、上記目的を達成するため、ケーブルが布設された管路の内部へ侵入した水が管路口を通してマンホール内へ流出するのを防止する管路口防水装置において、前記管路の管路口近傍の前記ケーブルの外周に防水シーリング剤を介して取り付けられたスリーブと、前記スリーブと前記管路口との間を閉塞する可撓性の防水部材と、前記防水部材の一端部の内周を前記スリーブに固定する締付部材と、前記防水部材の他端部を前記管路の前記管路口の端面に固定すると共に前記管路口の端面に固定され、一体的に取り付けられた前記ケーブル、前記スリーブおよび前記防水部材を摺動可能にした固定部材とを備えたことを特徴とする管路口防水装置を提供する。
【発明の効果】
【００２０】
本発明によれば、ケーブルに温度変化に伴う熱伸縮が生じても、管路の内部へ浸入した水を管路口からマンホール内へ流出するのを防止できるとともに、ケーブルにダメージを及ぼさないようにした管路口防水装置を得ることができる。
【発明を実施するための最良の形態】
【００２１】
［第１の実施の形態］
（管路口防水装置の構成）
図１は、本発明の第１の実施の形態に係る管路口防水装置を示す。同図中、（ａ）は正面図、（ｂ）はＡ−Ａ線断面図である。
【００２２】
この管路口防水装置１は、地中に布設された鋼管等からなる管路２内に電力ケーブル３を挿通した布設線路において、管路２が拡径された管路口２a近傍のケーブル３の外周に防水シーリング剤２０を介して取り付けられた２分割形状のスリーブ１１とスリーブ１１と管路口２aとの間を閉塞するように配設された可撓性を有し形状が漏斗状の防水部材であるゴムシート１４と、ゴムシート１４の一端部の内周をスリーブ１１に固定する締結部材のバンド１８と、ゴムシート１４の他端部を管路２の管路口２aの端面に固定すると共に、その管路口２aの端面に固定され、一体的に取り付けられたケーブル３、スリーブ１１およびゴムシート１４を摺動可能な状態となるようにした固定部材であって、蓋１２、パッキン２１およびパッキン抑え部材１３を備える。そして、この固定部材を構成する管路口２aの端面に固定される蓋１２は２分割構造であり、蓋１２に外嵌されるパッキン２１は背割り形状であると共に、パッキン２１を蓋１２に固定するパッキン抑え部材１３は２分割形状である。また、ケーブル３と一体化したスリーブ１１は蓋１２とパッキン２１よりも所定の長さ突き出して固定する。なお、背割りされるパッキン２１の背割り位置はパッキン抑え部材１３の分割位置と重なり合わない位置とする。
【００２３】
２分割されたスリーブ１１は、スリーブ部材１１ａ，１２ｂからなり、ゴムシート１４の締め付け力がケーブル３に直接に付与されないようにするためのもので、ケーブル３との間に隙間ができる程度の内径を有した金属管等を所定の長さに切断したものである。
なお、ケーブル３がアルミニウムやステンレス等のシースで被覆されている場合には、ゴムシート１４の締め付け力をシースで阻止できるので、スリーブ１１を省略することができる。スリーブ１１は分割形状でなく、一体のものであってもよい。
【００２４】
ゴムシート１４は、以下の(ａ)〜(ｃ)の条件を備えたゴムを用いて漏斗状に加工されている。このゴムシート１４の形状は、漏斗状に限定されるものではなく、例えば、蛇腹状、渦巻き状等であってもよい。
【００２５】
(ａ)使用場所の水圧に考慮した強度のあるゴムシートを用いる。
(ｂ)伸縮に対する追従性及び取り付け作業性を考慮し、可撓性に富むものを選定する。
(ｃ)ゴムシートの厚みは、ケーブル３の伸縮を想定し、十分な余裕を確保できる値にする。
【００２６】
発明者らの検討によれば、繊維補強の無いタイプのゴムシート１４では、作業性から厚さ２ｍｍ以下で好結果が得られ、また、繊維補強を行ったゴムシート１４では、厚さ１．５ｍｍ程度で好結果が得られる。なお、ゴムシート１４は、可撓性、耐年性及び耐熱性等を備えていれば、ゴム以外の材料からなるシートであってもよい。
【００２７】
バンド１８は、ゴムシート１４の内周をスリーブ１１の外周面に固定するもので、例えば、錆の発生しにくいステンレスからなる構成にすることができ、その両端には、ねじの締め付けにより直径が小さくなる機構が取り付けられている。なお、バンド１８は、ステンレスに限定されるものではなく、他の金属や樹脂等からなる構成であってもよい。
【００２８】
２分割された蓋１２は、蓋部材１２ａ，１２ｂからなり、スリーブ１１に接触しない内径の開口部を有している。また、蓋１２の開口部は、管路２内のケーブル３に曲げを生じさせないように管路２の底部に位置するように偏芯させて下方に形成されている。
【００２９】
パッキン２１は、背割りされたゴム等からなり、その内径は、スリーブ１１の外周からの浸水を防止するために、スリーブ１１の外径よりやや小さくし、スリーブ１１が摺動できるようにしている。
【００３０】
２分割されたパッキン抑え部材１３は、パッキン抑え金具１３ａ，１３ｂからなり、蓋部材１２ａ，１２ｂのケーブル３の近傍とパッキン２１をねじ止め固定するための金具であり、その内周はスリーブ１１に接触しない内径を有している。
【００３１】
防水シーリング剤２０は、固着前は液状性を示して時間の経過により固化するもの、ゲルやグリース状のもの等であり、例えば、ビニル系樹脂、シリコン樹脂、エポキシ樹脂、ポリエステル樹脂等からなるものを用いることができる。また、防水シーリング剤２０は、ケーブル３の表面からの浸水を防止するために、ケーブル３の外被及びスリーブ１１に対して接着性を有することが望ましい。
【００３２】
（管路口防水装置の組み付け）
次に、管路口防水装置１の組み付けについて説明する。まず、管路２に挿入し布設したケーブル３の管路口２a近傍のケーブル３の所定の位置にスリーブ部材１１ａ，１２ｂをセットする。次に、ケーブル３の外周面とスリーブ１１の内面との間の隙間に、防水シーリング剤２０を注入し、ケーブル３にスリーブ１１を固定する。ついで、ゴムシート１４をケーブル３に挿入し、スリーブ１１に被せる。
【００３３】
次に、ゴムシート１４の内周縁とスリーブ１１の外周面との間に防水シーリング剤２０を塗布して接着した後、ゴムシート１４の内周縁をバンド１８によってスリーブ１１の外周面に固定する。また、管路口２ａの端面全域に防水シーリング剤２０を塗布し、この塗布面にゴムシート１４の外縁を仮固定する。このとき、ゴムシート１４は、漏斗状を形成するように弛みを持たせて取り付ける。
【００３４】
次に、図１（ａ）に示すように、蓋部材１２ａ，１２ｂをボルト１５及びナット１６により管路口２ａの端面に取り付け、蓋１２を組み付ける。次に、蓋１２にパッキン２１を外嵌し、このパッキン２１を介してパッキン抑え金具１３ａ，１３ｂをボルト１９により蓋部材１２ａ，１２ｂの内側に固定する。このとき、ケーブル３と一体化したスリーブ１１を蓋１２とパッキン２１よりも所定の長さ突き出すように調整しながら固定する。以上により、管路口防水装置１の組み付けが完了する。
【００３５】
（第１の実施の形態の効果）
第１の実施の形態によれば、下記の効果を奏する。
（イ）ケーブル３にスリーブ１１を取り付けてケーブル３本体に圧力がかからないようにし、かつ、ケーブル３とスリーブ１１の間に防水シーリング剤２０を注入して防水加工を施すと共に、スリーブ１１とゴムシート１４が一体化しているため、ケーブル３のダメージを防止できるとともに水密構造を構成することから、管路２の内部に侵入した水を管路口２aを通してマンホール内に流出するのを防止できる。
（ロ）ケーブル３の伸縮は、ゴムシート１４の弛みとケーブル３、スリーブ１１およびゴムシート１４を一体化した構造であると共に、蓋１２、パッキン２１およびパッキン抑え部材に開口部を設けたため、ケーブル３がマンホール内へスムーズに移動し、ケーブル３の伸縮に追従できることから、ケーブル３に屈曲を与えることがなくダメージを及ぼさない。
（ハ）ケーブル３の外周面とゴムシート１４の内周部が共に移動するので、両者間の界面では伸縮が生じず、界面での摺動は発生しないので、摩耗によりケーブル３がダメージを受けるのを防止することができる。
（ニ）スリーブ１１と蓋１２との間にパッキン２１を介在させ、ケーブル３が軸方向に伸縮したときにスリーブ１１がパッキン２１に摺動できるようにしたため、ケーブル３とパッキン２１との間に力が作用しないようにすることができ、これによりケーブル３にダメージを生じないようにすることができる。
（ホ）ケーブル３を管路口２ａの下側寄りから引き出しているため、ケーブル３を殆ど曲げることなく管路２から引き出すことができ、ケーブル３の屈曲動作を無くすることができる。
（へ）管路口２aの端面に蓋１２を、ボルトとナットにより固定して取り付けたことから、管路口防水装置がマンホール内に脱落するのを防止できる。
【００３６】
［第２の実施の形態］
図２は、本発明の第２の実施の形態に係る管路口防水装置を示す。同図中、（ａ）は正面図、（ｂ）はＢ−Ｂ線断面図である。
【００３７】
第２の実施の形態に係る管路口防水装置１は、図１の構成において、ケーブルを１本からケーブル４Ａ，４Ｂ，４Ｃの３本にし、これに合わせて、３分割形状のスリーブ１１、２分割形状の蓋１２、２分割形状のパッキン抑え部材１３及び背割り形状のパッキン２１の構成または形状を変更したものであり、その他の構成は、第１の実施の形態と同様である。なお、背割りされるパッキン２１の背割り位置はパッキン抑え部材１３の分割位置と重なり合わない位置とする。
【００３８】
３分割されたスリーブ１１は、ケーブル４Ａ〜４Ｃを上下方向に３分割して封止するスリーブ部材１１ａ，１１ｂ，１１ｃを備える。スリーブ部材１１ａはケーブル４Ａの上半分の領域、スリーブ部材１１ｂはケーブル４Ａの下半分及びケーブル４Ｂ，４Ｃの上半分の領域、スリーブ部材１１ｃはケーブル４Ｂ，４Ｃの下半分の領域をそれぞれ封止する。このスリーブ部材１１ａ〜１１ｃは、相互の接合面に凹凸等による嵌合部を有している。そして、スリーブ１１全体としては、３本のケーブル４Ａ〜４Ｃを囲撓するように配置して一体的に取り付ける。
【００３９】
２分割されたパッキン抑え部材１３は、パッキン抑え金具１３ａ，１３ｂからなり、ケーブル４Ａ〜４Ｃを貫通可能な内寸法による三角形を形成するとともに、スリーブ１１に接触しない内径を有している。
【００４０】
背割りされたパッキン２１は、スリーブ１１が摺動できるような内寸法を有し、その外形はパッキン抑え部材１３の外形にほぼ等しくなっている。
【００４１】
（管路口防水装置の組み付け）
次に、第２の実施の形態における管路口防水装置１の組み付けについて説明する。まず、管路２に挿入し布設したケーブル４Ａ〜４Ｃの管路口２a近傍のケーブル４Ａ〜４Ｃの所定の位置にスリーブ部材１１ａ，１１ｂ，１１ｃをセットし、その相互間及びケーブル４Ａ〜４Ｃの外周面との間の隙間に防水シーリング剤２０を塗布して、ケーブル４Ａ〜４Ｃにスリーブ１１を組み付ける。次に、ゴムシート１４を管路２内に入れ、その内周縁とスリーブ１１の外周面との間に防水シーリング剤２０を介在させた後、防水シーリング剤２０の塗布部分をバンド１８でスリーブ１１の外周面に固定する。更に、ゴムシート１４の外周縁を管路口２ａの端面の全域に防水シーリング剤２０で固定する。このとき、ゴムシート１４は、漏斗状を形成するように弛みを持たせて取り付ける。
【００４２】
次に、図２（ａ）に示すように、蓋部材１２ａ，１２ｂをボルト１５とナット１６により管路口２ａの端面に取り付け、蓋１２を組み付ける。次に、蓋１２にパッキン２１を外嵌し、パッキン２１を介してパッキン抑え金具１３ａ，１３ｂを蓋部材１２ａ，１２ｂの内側にボルト１９で取り付ける。このとき、ケーブル４Ａ〜４Ｃと一体化したスリーブ１１を蓋１２とパッキン２１よりも所定の長さ突き出すように調整しながら固定する。以上により、管路口防水装置１の組み付けが完了する。
【００４３】
（第２の実施の形態の効果）
第２の実施の形態によれば、ケーブル数が増えても、第１の実施の形態と同様の水密構造を得ることができる。また、スリーブ１１が３分割されているため、ケーブル４Ａ〜４Ｃに挿入することなく取り付けることができるため、装着を容易にすることができる。
その他の効果は、第１の実施の形態と同様である。
【００４４】
［他の実施の形態］
なお、本発明は、上記各実施の形態に限定されず、その要旨を変更しない範囲内で種々な変形が可能である。
【図面の簡単な説明】
【００４５】
【図１】本発明の第１の実施の形態に係る管路口防水装置を示し、（ａ）は正面図、（ｂ）はＡ−Ａ線断面図である。
【図２】本発明の第２の実施の形態に係る管路口防水装置を示し、（ａ）は正面図、（ｂ）はＢ−Ｂ線断面図である。
【図３】従来のフランジ型の管路口防水装置を示し、（ａ）は正面図、（ｂ）は断面図である。
【図４】図３のフランジ型の管路口防水装置の変形例を示し、（ａ）は正面図、（ｂ）は断面図である。
【図５】従来の挿入型の管路口防水装置を示し、（ａ）は正面図、（ｂ）は断面図である。
【図６】図５の挿入型の管路口防水装置の変形例を示し、（ａ）は正面図、（ｂ）は断面図である。
【符号の説明】
【００４６】
１  管路口防水装置
２  管路
２ａ  管路口
３，４Ａ，４Ｂ，４Ｃ  ケーブル
１１  スリーブ
１１ａ，１１ｂ，１１ｃ  スリーブ部材
１２  蓋
１２ａ，１２ｂ  蓋部材
１３  パッキン抑え部材
１３ａ，１３ｂパッキン抑え金具
１４  ゴムシート
１５  ボルト
１６  ナット
１８  バンド
１９  ボルト
２０  防水シーリング剤
２１  パッキン
１００  管路口防水装置
１０１  管路
１０２Ａ，１０２Ｂ，１０２Ｃ  ケーブル
１０３  管路口
１０４  仕切り部材
１０５  ボルト
１０６  ナット
１０７  パッキン
１０８  蓋
１０８ａ，１０８ｂ，１０８ｃ，１０８ｄ，１０８ｅ  蓋部材
１０９  防水混和物
１１０  開口
２００  管路口防水装置
２０１  パッキン
２０２，２０３  押し付け金具
２０２ａ，２０２ｂ  押し付け部材
【図１】
2008167607.tif 000003
【図２】
2008167607.tif 000004
【図３】
2008167607.tif 000005
【図４】
2008167607.tif 000006
【図５】
2008167607.tif 000007
【図６】
2008167607.tif 000008